(57)【要約】【課題】  ディスクトレイの前後への移動時にがたつきを少なくできて、その移動をスムーズに行え、トレイガイドに設けられたスイッチのＯＮ・ＯＦＦ動作を安定して行える。【解決手段】  トレイガイド４の上部両側に設けられた前後に繋がれた３本のガイドボス５に左右両側下面のガイドレール３が案内されて前面の開口部１ａから出し入れされ、上面に５枚のディスクＤが載せられてセットされるようになったスライドトレイ２を有し、トレイガイド４の上部側の前後に繋がれた３本のガイドボス５の上端５ａが略円錐形状に形成される一方、これらの上端円錐形状の前後に繋がれた３本のガイドボス５が入り込んで前後にガイド移動されるスライドトレイ２の下面両側のガイドレール３の奥部３ａが断面略逆Ｖ字形状に形成されていて、スライドトレイ２が前面の開口部１ａから出し入れされるときにがたつかないように構成した。【選択図】  図１
2005122851.tif 000002
【特許請求の範囲】
【請求項１】
トレイガイドの上部両側に設けられた前後に繋がれた３本のガイドボスに左右両側下面のガイドレールが案内されて前面の開口部から出し入れされ、上面に５枚のディスクが載せられてセットされるようになったスライドトレイを有するディスクチェンジャーにおいて、前記トレイガイドの上部側の前後に繋がれた３本のガイドボスの上端が略円錐形状に形成される一方、これらの上端円錐形状の前後に繋がれた３本のガイドボスが入り込んで前後にガイド移動されるスライドトレイの下面両側のガイドレールの奥部が断面略逆Ｖ字形状に形成されていて、スライドトレイが前面の開口部から出し入れされるときにがたつかないように構成したことを特徴とするディスクチェンジャー。
【請求項２】
トレイガイドの上部両側に設けられた前後に繋がれた複数本のガイドボスに左右両側下面のガイドレールが案内されて前面の開口部から出し入れされ、上面に１枚もしくは複数枚のディスクが載せられてセットされるようになったスライドトレイを有するディスクチェンジヤーにおいて、前記トレイガイドの上部側の前後に繋がれた複数本のガイドボスの上端が断面略逆Ｖ字形状に形成される一方、これらの上部側の前後に繋がれた複数本のガイドボスが入り込んで前後にガイド移動されるスライドトレイの下面両側のガイドレールの奥部が断面略逆Ｖ字形状に形成されていて、スライドトレイが前面の開口部から出し入れされるときにがたつかないように構成したことを特徴とするディスクチェンジャー。
【請求項３】
前記ガイドボスが角柱状に形成され、その上端が断面略逆Ｖ字形で山形形状に形成されている請求項２に記載のディスクチェンジャー。
【請求項４】
前記角柱状のガイドボスの上端の山形形状部の左右両斜面に前後向きに１条もしくは複数条の溝部が形成されている請求項３に記載のディスクチェンジャー。
【発明の詳細な説明】
【技術分野】
【０００１】
本発明は、トレイガイドの上部両側に設けられた前後に繋がれた３本もしくは複数本のガイドボスに左右両側下面のガイドレールが案内されて前面の開口部から出し入れされ、上面に１枚もしくは複数枚のディスクが載せられてセットされるようになったスライドトレイを有するディスクチェンジャーに関するものである。
【背景技術】
【０００２】
従来、この種のディスクチェンジャーは、図５に示すように、トレイガイド１０１の上部両側に設けられた前後に繋がれた３本もしくは複数本のガイドボス１０２が円柱状に形成され、この円柱状のガイドボス１０２に案内されるスライドトレイ１０３の左右両側下面のガイドレール１０４が凹形状に形成されている。
ところが、凹形状のガイドレール１０４とこのガイドレール１０４に若干隙間を持って入り込む円柱状のガイドボス１０２とで凹凸ガイド構造となっているので、スライドトレイ１０３を前後に移動するときに、左右のがたつきが大きくなり、スムーズな移動ができないという問題があった。また、このがたつきのためにトレイガイドに設けられたスイッチ（図示略）がスライドトレイ１０３から垂設されたリブ（図示略）によって正確にＯＮ・ＯＦＦされずにその動作が不安定になるという問題があった。
【０００３】
また、他の従来技術として、ディスクを載置するトレイを、単数または複数枚待機させる待機位置を設け、かつこのトレイを待機位置に対して交差するディスクの再生または記録位置方向とディスクの取出し位置方向の２方向へ移動自在としたディスクプレーヤにおいて、待機位置から２方向へ向かう交差位置に、少なくとも２方向の間で首振自在なトレイの支持レールを設けたものである。（例えば、特許文献１参照）。
ところが、これにおいては、支持レールの形状がＶ字形になったものではなかった。
【０００４】
【特許文献１】実開平４−１３７５４５号公報
【発明の開示】
【発明が解決しようとする課題】
【０００５】
本発明は、上記従来の問題を解消し、ディスクトレイの前後への移動時にがたつきを少なくすることができて、その移動をスムーズに行うことができ、トレイガイドに設けられたスイッチのＯＮ・ＯＦＦ動作を安定して行うことができるディスクチェンジャーを提供することを目的としている。
【課題を解決するための手段】
【０００６】
本発明は、上記課題を解決するために提案されたものであって、請求項１に記載の発明は、トレイガイドの上部両側に設けられた前後に繋がれた３本のガイドボスに左右両側下面のガイドレールが案内されて前面の開口部から出し入れされ、上面に５枚のディスクが載せられてセットされるようになったスライドトレイを有するディスクチェンジャーにおいて、前記トレイガイドの上部側の前後に繋がれた３本のガイドボスの上端が略円錐形状に形成される一方、これらの上端円錐形状の前後に繋がれた３本のガイドボスが入り込んで前後にガイド移動されるスライドトレイの下面両側のガイドレールの奥部が断面略逆Ｖ字形状に形成されていて、スライドトレイが前面の開口部から出し入れされるときにがたつかないように構成したことを特徴としている。
【０００７】
請求項２に記載の発明は、トレイガイドの上部両側に設けられた前後に繋がれた複数本のガイドボスに左右両側下面のガイドレールが案内されて前面の開口部から出し入れされ、上面に１枚もしくは複数枚のディスクが載せられてセットされるようになったスライドトレイを有するディスクチェンジヤーにおいて、前記トレイガイドの上部側の前後に繋がれた複数本のガイドボスの上端が断面略逆Ｖ字形状に形成される一方、これらの上部側の前後に繋がれた複数本のガイドボスが入り込んで前後にガイド移動されるスライドトレイの下面両側のガイドレールの奥部が断面略逆Ｖ字形状に形成されていて、スライドトレイが前面の開口部から出し入れされるときにがたつかないように構成したことを特徴としている。
【０００８】
請求項３に記載の発明は、前記ガイドボスが角柱状に形成され、その上端が断面略逆Ｖ字形で山形形状に形成されている。
請求項４に記載の発明は、前記角柱状のガイドボスの上端の山形形状部の左右両斜面に前後向きに１条もしくは複数条の溝部が形成されている。
【発明の効果】
【０００９】
請求項１に記載の発明によれば、トレイガイドの上部両側の前後３本のガイドボスの上端が略円錐形状に形成され、このガイドボスが入り込むスライドトレイの下面両側のガイドレールの奥部が断面略逆Ｖ字形に形成されているので、ガイドボスの略円錐形状の上端がガイドレールの断面略Ｖ字形のガイドレールの奥部に入り込むので、スライドトレイの前後への移動時にがたつきを少なくすることができて、その前後への移動をスムーズに行うことができ、トレイガイドに設けられたスイッチのＯＮ・ＯＦＦ動作を安定して行うことができる。
【００１０】
請求項２に記載の発明によれば、トレイガイドの上部両側の前後複数本のガイドボスの上端が断面略逆Ｖ字形状に形成され、このガイドボスが入り込むスライドトレイの下面両側のガイドレールの奥部が断面略逆Ｖ字形に形成されているので、ガイドボスの断面略逆Ｖ字形状の上端がガイドレールの断面略Ｖ字形のガイドレールの奥部に入り込むので、スライドトレイの前後への移動時にがたつきを少なくすることができて、その前後への移動をスムーズに行うことができ、トレイガイドに設けられたスイッチのＯＮ・ＯＦＦ動作を安定して行うことができる。
【００１１】
請求項３に記載の発明によれば、角柱状のガイドボスの上端が断面略逆Ｖ字形で山形形状に形成されているので、この角柱状のガイドボスの断面略逆Ｖ字形で山形形状の上端が、ガイドレールの断面略Ｖ字形の奥部に入り込むので、このガイドレールを有するスライドトレイの前後への移動をがたつきなくスムーズに行うことができる。
請求項４に記載の発明によれば、角柱状のガイドボスの上端の山形形状部の左右両斜面に前後向きに１条もしくは複数条の溝部が形成されているので、このガイドボスの山形形状の上端とガイドレールの断面略Ｖ字形の奥部との間の摩擦を少なくすることができて、スライドトレイの前後への移動をより一層スムーズに行うことができる。
【発明を実施するための最良の形態】
【００１２】
以下、本発明に係るディスクチェンジャーの実施の形態について、図を参照しつつ説明する。
図１は本発明に係るディスクチェンジャーの部分断面図、図２は同ディスクチェンジャーの内部構造を示す斜視図、図３は同ディスクチェンジャーの要部であるトレイガイドの上部両側に設けられるガイドボスとこのガイドボスに連なるリブ部とを示す斜視図、図４は同ディスクチェンジャーにおけるトレイガイドの上部両側に設けられるガイドボスの別例を示す斜視図である。
【００１３】
本実施形態のディスクチェンジャーは、図２に示すように、筐体１の前面に５枚のディスクＤが載せられてセットされるスライドトレイ２が出し入れされる開口部１ａが設けられている。このスライドトレイ２は、図１に示すように、その下面両側に奥部３ａが断面略逆Ｖ字形に形成されたガイドレール３が設けられている。このガイドレール３には筐体１内のトレイガイド４の上部両側の段部４ａ、４ｂの水平面に設けられた前後３本のガイドボス５とこれらのガイドボス５に連なるリブ部６が入り込んでいて、３本のガイドボス５の上端５ａは略円錐形状に形成されている（図３参照）。また、トレイガイド４の一方側のにはスイッチ７が設けられ、このスイッチ７はスライドトレイ２から垂設されたリブ８によって、スライドトレイ２の前後移動にＯＮ・ＯＦＦされるようになっている。
【００１４】
そして、図１に示すように、３本のガイドボス５の略円錐形状の上端５ａがスライドトレイ２のガイドレール３の断面略逆Ｖ字形の奥部３ａに入り込んだ状態で、ディスクＤの取り替え時等にスライドトレイ２が筐体１の前面の開口部１ａから出し入れされるようになっている。
【００１５】
したがって、本実施形態によれば、ガイドボス５の略円錐形状の上端５ａがガイドレール２の断面略Ｖ字形の奥部３ａに入り込むので、スライドトレイ２の前後への移動時にがたつきを少なくすることができて、その前後への移動をスムーズに行うことができ、トレイガイド４に設けられたスイッチ７のＯＮ・ＯＦＦ動作を安定して行うことができる。
【００１６】
また、図４に示すように、ガイドボス５Ａが角柱状に形成され、その上端５ｂが断面略逆Ｖ字形で山形形状に形成され、この山形形状部の上端５ｂの左右両斜面に前後向きに１条の溝部５ｃ、５ｃが形成されている。
【００１７】
これによれば、角柱状のガイドボス５Ａの断面略逆Ｖ字形で山形形状の上端５ｂが、ガイドレール３の断面略Ｖ字形の奥部３ａに入り込むので、このガイドレール３を有するスライドトレイ２の前後への移動をがたつきなくスムーズに行うことができる。更に、角柱状のガイドボス５Ａの上端５ｂの山形形状部の左右両斜面に前後向きに１条の溝部５ｃ、５ｃが形成されているので、このガイドボス５Ａの山形形状の上端５ｂとガイドレール３の断面略Ｖ字形の奥部３ａとの間の摩擦を少なくすることができて、スライドトレイ２の前後への移動をより一層スムーズに行うことができる。
【００１８】
尚、上記した実施形態では、ガイドボス５が前後３本あるものについて説明したが、このガイドボス５は４本以上複数本あってもよいことは勿論ある。また、スライドトレイ２には５枚のディスクＤをセットしたものについて説明したが、１枚あるいは２枚以上複数枚セットできるものであってもよいことは勿論である。
【図面の簡単な説明】
【００１９】
【図１】本発明に係るディスクチェンジャーの部分断面図である。
【図２】同ディスクチェンジャーの内部構造を示す斜視図である。
【図３】同ディスクチェンジャーの要部であるトレイガイドの上部両側に設けられるガイドボスとこのガイドボスに連なるリブ部とを示す斜視図でる。
【図４】同ディスクチェンジャーにおけるトレイガイドの上部両側に設けられるガイドボスの別例を示す斜視図である。
【図５】従来のディスクチェンジャーの部分断面図である。
【符号の説明】
【００２０】
Ｄ            ディスク
１            筐体
１ａ          開口部
２            スライドトレイ
３            ガイドレール
３ａ          奥部
４            トレイガイド
４ａ、４ｂ    段部
５            ガイドボス
５Ａ          ガイドボス
５ａ          上端
５ｂ          上端
５ｃ          溝部
６            リブ部
７            スイッチ
８            リブ
【図１】
2005122851.tif 000003
【図２】
2005122851.tif 000004
【図３】
2005122851.tif 000005
【図４】
2005122851.tif 000006
【図５】
2005122851.tif 000007